(57)【要約】【課題】ユーザーの近接を検出して表示を制御する電子機器において、近接を検出した際の表示開始時間を短縮することが可能な電子機器を提供する。【解決手段】本実施形態に係る電子機器は、電子機器の動きを検知する動き検知手段と、電子機器への物体の近接を検知する近接検知手段と、表示手段と、動き検知手段で検知した動きから電子機器の所定の動きを検知したことに応じて表示手段に表示を行うための表示準備処理を開始するように制御する制御手段と、近接検知手段で物体の近接を検知したことに応じて表示手段に表示を行うように制御する表示制御手段と、を有する。【選択図】図５
2019012349.tif 000002
【特許請求の範囲】
【請求項１】
電子機器であって、
前記電子機器の動きを検知する動き検知手段と、
前記電子機器への物体の近接を検知する近接検知手段と、
表示手段と、
前記動き検知手段で検知した動きから前記電子機器の所定の動きを検知したことに応じて前記表示手段に表示を行うための表示準備処理を開始するように制御する制御手段と、
前記近接検知手段で物体の近接を検知したことに応じて前記表示手段に表示を行うように制御する表示制御手段と、
を有することを特徴とする電子機器。
【請求項２】
前記表示制御手段は、前記所定の動きを検知することなく前記近接検知手段で物体の近接を検知したことに応じて、前記表示準備処理を行ってから前記表示手段に表示を行うように制御することを特徴とする請求項１に記載の電子機器。
【請求項３】
前記所定の動きは、前記電子機器を顔に近づける動きであることを特徴とする請求項１または２に記載の電子機器。
【請求項４】
前記表示手段はファインダーの接眼部を介して視認可能であり、
前記近接検知手段は、前記接眼部に対する接眼を検知する接眼検知手段として機能し、
前記所定の動きは、ユーザーが前記接眼部に接眼するために前記電子機器を動かす動きであることを特徴とする請求項１乃至３のいずれか１項に記載の電子機器。
【請求項５】
前記ファインダーの外部に備えられた表示モニタを更に有し、
前記所定の動きは、前記表示モニタを視認していた状態からユーザーが前記接眼部に接眼するために前記電子機器を動かす動きであることを特徴とする請求項４に記載の電子機器。
【請求項６】
前記表示制御手段は、前記表示準備処理を開始したときは前記表示モニタに対する表示を継続し、前記表示手段に表示を行ったことに応じて前記表示モニタに対する表示を停止することを特徴とする請求項５に記載の電子機器。
【請求項７】
前記電子機器の前後方向の加速度の正負が反転した時点を含む所定期間内において、前記電子機器の鉛直方向の加速度が閾値以上変化しており、前記電子機器の水平方向の加速度の変化が所定幅以内である動きを前記動き検知手段で検知した場合に、前記所定の動きを検知したものとすることを特徴とする請求項１乃至６のいずれか１項に記載の電子機器。
【請求項８】
前記表示準備処理は、前記表示手段を駆動するための駆動電圧を生成する処理であることを特徴とする請求項１乃至７のいずれか１項に記載の電子機器。
【請求項９】
前記駆動電圧を生成する処理では、電源タイミング信号が入力された後、突入電流の発生を抑制するために徐々に電源を立ち上げることを特徴とする請求項８に記載の電子機器。
【請求項１０】
前記所定の動きがあったと判定するための条件を、レンズ装着部に装着された交換レンズの種別に応じて変更することを特徴とする請求項１乃至９のいずれか１項に記載の電子機器。
【請求項１１】
前記電子機器は撮像手段を有する撮像装置であることを特徴とする請求項１乃至１０のいずれか１項に記載の電子機器。
【請求項１２】
電子機器の動きを検知する動き検知手段と、
前記電子機器への物体の近接を検知する近接検知手段と、
表示手段と、
を有する前記電子機器の制御方法であって、
前記動き検知手段で検知した動きから前記電子機器の所定の動きを検知したことに応じて前記表示手段に表示を行うための表示準備処理を開始するように制御する制御ステップと、
前記近接検知手段で物体の近接を検知したことに応じて前記表示手段に表示を行うように制御する表示制御ステップと
を有することを特徴とする電子機器の制御方法。
【請求項１３】
コンピュータを、請求項１乃至１１のいずれか１項に記載された電子機器の各手段として機能させるためのプログラム。
【請求項１４】
コンピュータを、請求項１乃至１１のいずれか１項に記載された電子機器の各手段として機能させるためのプログラムを格納したコンピュータが読み取り可能な記憶媒体。
【発明の詳細な説明】
【技術分野】
【０００１】
本発明は、表示装置を備える電子機器およびその制御方法、プログラムならびに記憶媒体に関する。
【背景技術】
【０００２】
表示装置を備えた電子機器には、装置に内蔵された近接検知センサ（例えば人感センサ）等からの検知情報に基づいてユーザーの近接を検知し、表示装置の動作を制御するものが知られている。特許文献１には、光検出手段と人検出手段により、室内の照明が点灯中であり且つ人が存在していると判断された場合に、機器の電源をＯＮにするテレビ受像機が開示されている。また、特許文献２には、ＥＶＦ（Ｅｌｅｃｔｒｏｎｉｃ  Ｖｉｅｗｆｉｎｄｅｒ）を備える撮像装置であって、光センサによってファインダーへの接眼を検知した場合に表示装置の電源をＯＮにする接眼検知機構を有するものが開示されている。このような接眼検知機構により、ユーザーが接眼していない場合には表示装置の電源をＯＦＦにして消費電力を低減することができる。
【先行技術文献】
【特許文献】
【０００３】
【特許文献１】特開２００８−２５２５２６号公報
【特許文献２】特開２００１−３３９６２７号公報
【発明の概要】
【発明が解決しようとする課題】
【０００４】
ところで、一般に、表示装置では表示素子の駆動のために正電圧及び負電圧の複数種類の電圧印加（駆動電圧の生成）を必要とする一方で、消費電力抑制の観点から、ユーザーの近接がなければ駆動電圧の生成を停止しておくことが望ましい。この点、表示装置では、駆動電圧生成のための昇圧或いは降圧動作が完了して駆動電圧が安定するまでにある程度の時間を要するため、駆動電圧の生成を停止するとユーザーの近接が生じた際に即座に表示を行うことができないという課題が有る。
【０００５】
本発明は、上記課題に鑑みてなされ、その目的は、ユーザーの近接を検出して表示を制御する電子機器において、近接を検出した際の表示開始時間を短縮することが可能な技術を実現することである。
【課題を解決するための手段】
【０００６】
この課題を解決するため、例えば本発明の電子機器は以下の構成を備える。すなわち、電子機器であって、電子機器の動きを検知する動き検知手段と、電子機器への物体の近接を検知する近接検知手段と、表示手段と、動き検知手段で検知した動きから電子機器の所定の動きを検知したことに応じて表示手段に表示を行うための表示準備処理を開始するように制御する制御手段と、近接検知手段で物体の近接を検知したことに応じて表示手段に表示を行うように制御する表示制御手段と、を有することを特徴とする。
【発明の効果】
【０００７】
本発明によれば、ユーザーの近接を検出して表示を制御する電子機器において、近接を検出した際の表示開始時間を短縮することが可能になる。
【図面の簡単な説明】
【０００８】
【図１】本実施形態に係る電子機器の一例としてのデジタルカメラの背面斜視図
【図２】本実施形態に係るデジタルカメラの機能構成例を示すブロック図
【図３】本実施形態に係る近接検知部の機能構成例を示すブロック図
【図４】本実施形態に係るＥＶＦ駆動部の機能構成例を示すブロック図
【図５】本実施形態に係る表示準備処理を用いた表示制御処理の一連の動作を示すフローチャート
【図６】本実施形態の表示準備処理を用いた表示制御処理によるＥＶＦ及び表示部の動作状態を説明する図
【図７】ユーザーが接眼撮影準備動作を行った際の姿勢検知部による姿勢検出情報を説明する図
【発明を実施するための形態】
【０００９】
（デジタルカメラ１００の構成）
以下、図面を参照して本発明の好適な実施形態を説明する。図１に本発明を適用可能な装置の一例としてのデジタルカメラ１００の背面斜視図を示す。図１において、表示部２８は画像や各種情報を表示する、カメラ背面に設けられた表示部である。シャッターボタン６１は撮影指示を行うための操作部である。モード切替スイッチ６０は各種モードを切り替えるための操作部である。電源スイッチ７２はデジタルカメラ１００の電源のＯＮ及びＯＦＦを切り替える操作部材である。電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、メニューボタンにおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。接眼ファインダー１６は、接眼部を介してＥＶＦ１０５を視認可能な覗き込み型のファインダーである。蓋２０２は記録媒体２００を格納ひたスロットの蓋である。近接検知部１０４は、近接センサを含み、近接検知部１０４に対する顔などの物体の近接を検知する。
【００１０】
図２は、本実施形態によるデジタルカメラ１００の構成例を示すブロック図である。
【００１１】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１２】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１４】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、表示モニタとしてのＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することでスルー画像表示（ライブビュー表示）を行える。表示部２８は、表示器の全面にタッチパネルを備え、表示器上に表示させたメニュー画面に対するユーザーからのタッチ操作を受け付けることができる。
【００１５】
Ｄ／Ａ変換器１４は、メモリ３２に格納されている画像表示用のデータをアナログ信号に変換してＥＶＦ１０５に供給する。ＥＶＦ１０５は、ファインダー１６内に、例えば有機ＥＬ型や液晶型等によって構成される表示デバイスを備える。表示デバイスが例えば有機ＥＬ型である場合、薄膜トランジスタアクティブマトリクス駆動方式の有機ＥＬパネルを内蔵する。有機ＥＬパネルの１つの表示素子はＲＧＢ３つの有機ＥＬ素子で構成されており、有機ＥＬ素子に電圧を加える事で発光する。ＥＶＦ１０５では、ＥＶＦ駆動部１１２から各有機ＥＬ素子に印加される電圧が調整されることにより、各色の発光量が制御され、所望の画像を階調表示する事ができる。ユーザーがファインダー１６を覗き込むとメモリ３２に格納されている画像表示用のデータを表示させ、ライブビュー表示を実現する。表示部２８とＥＶＦ１０５とは、システム制御部５０の指示により、メニュー画面、画像ファイル、ライブビュー表示等が可能である。表示部２８及びＥＶＦ１０５は、操作部７０により各々の表示を独立にＯＮ／ＯＦＦ制御することができる。
【００１６】
ＥＶＦ駆動部１１２は、ＥＶＦ１０５を駆動するための駆動タイミング信号を供給する駆動回路を含むとともに、ＥＶＦ１０５の駆動電圧を生成するための昇圧手段及び降圧手段を含む。ＥＶＦ駆動部１１２は、種々の駆動電圧を生成し、駆動タイミング信号と同期してＥＶＦ１０５に生成した駆動電圧を印加する。近接検知部１０４は、赤外発光体及び受光回路を含み、一定間隔で赤外光を発光して、対象物で反射した光量を測定することにより、既定位置に対象物があるかどうかを検出する。近接検知部１０４は、ＥＶＦ１０５の周辺に配置されることにより、ユーザーがファインダー１６を覗き込んでファインダー１６の接眼部に接眼したことを検知する接眼検知手段として機能する。近接検知部１０４は、ユーザーとの距離を複数段階の検出閾値で検出可能である。システム制御部５０は、近接検知部１０４から出力される近接検出情報を取得すると、表示部２８の表示を停止し、ＥＶＦ１０５の表示を開始する。
【００１７】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１８】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１９】
システムタイマー５３は各種制御に用いる時間や、内蔵された時計の時間を計測する計時部である。
【００２０】
モード切替スイッチ６０、シャッターボタン６１、操作部７０はシステム制御部５０に各種の動作指示を入力するための操作手段である。
【００２１】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００２２】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２３】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２６】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２７】
通信部５４は、無線または有線ケーブルによって接続し、映像信号や音声信号等の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２８】
姿勢検知部５５は、例えば加速度センサーやジャイロセンサーを含み、重力方向に対するデジタルカメラ１００の姿勢を検知する。姿勢検知部５５は３軸（Ｘ、Ｙ、Ｚ）の各成分の加速度を出力することができるため、姿勢検知部５５で検知された加速度に基づいて、デジタルカメラ１００の動きを検知することができる。なお、本実施形態では、３軸の座標系を図１に示すようにとる。すなわち、デジタルカメラ１００の背面から見て、水平方向（左右方向）にＸ軸をとり、背面からみて右側を正とする。また、デジタルカメラ１００の鉛直方向（上下方向）にＹ軸をとり、重力の向き、すなわち下側をＹ軸の正とする。更に、デジタルカメラの前後方向にＺ軸をとり、後側を正とする。姿勢検知部５５の加速度出力の特性は、例えば、ロール方向（Ｚ軸まわり）に回転させると重力加速度のＸ軸、Ｙ軸成分が−１．０ｇ〜１．０ｇの範囲で変化する。ロール方向にデジタルカメラ１００を回転させる場合には、Ｚ軸方向には重力加速度変化の影響を受けないため、Ｚ軸成分は常時０ｇとなる。なお、後述する接眼撮影準備動作において検知される加速度の特性については後述する。また、姿勢検知部５５の検知結果を用いることにより、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録したりすることが可能である。
【００２９】
（近接検知部１０４の構成）
次に、図３を参照して、近接検知部１０４の機能構成例について説明する。
【００３０】
外部インターフェース３０１は、近接検知部１０４の外部インターフェースであり、システム制御部５０による近接検知部１０４への制御信号の送信や、近接検知部１０４からシステム制御部５０への近接検出結果の通知などを行う。
【００３１】
発光素子制御部３０２は、赤外発光素子３０３の順方向電流を定電流化する。また、赤外発光素子３０３の順方向電流を増減させて、赤外発光素子３０３の発光量を制御することができる。赤外発光素子３０３は、発光素子制御部３０２によって制御された電流にともなう光量の光を、赤外発光レンズ窓３０４ａを通して、物体である対象物３０９に照射する。なお、対象物３０９は、本実施形態の例では、デジタルカメラ１００のユーザーの顔或いは体の一部である。
【００３２】
ロジック制御部３０５は、所定の制御回路を含み、近接検知部１０４の各部を制御する。ロジック制御部３０５は、赤外発光素子３０３の点灯／消灯タイミングや受光素子３０６の蓄積／リセットのタイミングを制御する。また、ロジック制御部３０５は、Ａ／Ｄ変換部３０７からの出力値に対して、複数段階の検出閾値を設定することができるため、対象物３０９までの近接距離を段階的に検出することができる。ロジック制御部３０５は、検出閾値を超えたか否かの判定結果を、外部インターフェース３０１を通じてシステム制御部５０へ通知する。
【００３３】
受光素子３０６は、赤外発光レンズ窓３０４ａより照射されて対象物３０９で反射し、受光レンズ窓３０４ｂで集光された光を受光して光電変換を行い、アナログ信号を出力する。アンプ部３０８は、受光素子３０６から出力されたアナログ信号を増幅してＡ／Ｄ変換部３０７に出力する。Ａ／Ｄ変換部３０７は、アンプ部３０８から出力されたアナログ信号をデジタル信号に変換する。
【００３４】
（ＥＶＦ駆動部１１２の構成）
次に、図４を参照して、ＥＶＦ駆動部１１２の機能構成例について説明する。図４に示すＥＶＦ駆動部１１２は、ＥＶＦ制御部４０１とＥＶＦ電源部４０２により構成されている。ＥＶＦ制御部４０１は、例えばシステム制御部５０からのＥＶＦ駆動部制御信号に基づき、ＥＶＦ１０５を駆動するためのＥＶＦ制御信号をＥＶＦ１０５に供給するとともに、ＥＶＦ１０５を駆動するための電源タイミング信号をＥＶＦ電源部４０２に供給する。ＥＶＦ電源部４０２は、電源部３０からの入力電源に基づき、ＥＶＦ１０５を駆動するための所定の駆動電圧を生成する。ＥＶＦ電源部４０２は、所定の駆動電圧を生成するＤＣＤＣコンバータ等の昇圧手段及び降圧手段である。ＥＶＦ電源部４０２は、ＥＶＦ制御部４０１より出力される電源タイミング信号に同期して駆動電圧を生成し、生成した駆動電圧をＥＶＦ１０５に印加する。なお、ＥＶＦ電源部４０２が所定の駆動電圧を生成する際に、急激な電源投入を行うと突入電流が発生し、供給している入力電源がシャットダウンしてしまう恐れがある。そのため、ＥＶＦ電源部４０２は、所定の駆動電圧を生成するときには、電源タイミング信号が入力された後に徐々に電源を立ち上げるようにして突入電流の発生を抑制する。このように、ＥＶＦ電源部４０２は、徐々に電源を立ち上げるため、所定の駆動電圧を生成する際に所定時間を要してしまう。
【００３５】
（表示準備処理を用いた表示制御処理に係る一連の動作）
次に、図５を参照して、デジタルカメラ１００のＥＶＦに表示を行うための、表示準備処理を用いた表示制御処理に係る一連の動作を説明する。図５は、本実施形態における撮像動作を示すフローチャートである。なお、この処理は、不揮発性メモリ５６に記録されたプログラムを、システムメモリ５２に読みだしてシステム制御部５０が実行することにより実現する。また、本処理は、例えばユーザーによって電源スイッチ７２がＯＮされた場合にデジタルカメラ１００が起動して開始される。
【００３６】
Ｓ５０１では、システム制御部５０は、姿勢検知部５５及び近接検知部１０４を起動する。Ｓ５０２では、システム制御部５０は、姿勢検知部５５によって検知される、デジタルカメラ１００の姿勢を表す姿勢検出情報を取得し、取得した姿勢検出情報に対する演算処理を行う。システム制御部５０は、この演算処理により、ユーザーが接眼撮影準備動作をしているかを判定する。図６において後述するように、ユーザーが接眼撮影準備動作を行う（例えばデジタルカメラを顔に近づける）場合には、ユーザーは手元操作又はライブビュー撮影状態から接眼撮影するために、デジタルカメラ１００を素早く動かす。このため、デジタルカメラ１００の鉛直方向（上下方向）又は水平方向（左右方向）に対して、大きな加速度の変化が生じる。
【００３７】
図７を参照して、ユーザーが接眼撮影準備動作を行った際の姿勢検知部による姿勢検出情報（例えばデジタルカメラ１００に生じる加速度の変化）について説明する。図７は、接眼撮影準備動作の一例として、ユーザーがデジタルカメラ１００を手元操作の状態から接眼撮影の状態に遷移させたときの、姿勢検知部５５の出力の変化を示している。手元操作の状態では、ユーザーは例えばデジタルカメラ１００のボディを傾けて表示部２８を覗いている為、手元操作を示す図７の領域（ａ）の範囲では、例えば加速度のＺ軸成分は約−０．９ｇとなる。更に、この状態からユーザーがデジタルカメラ１００を接眼させる為に振り上げると、加速度の状態は図７の領域（ｂ）に示すように変化する。この例では、加速度のＺ軸成分は約−１．０ｇから約０ｇまで変化し、同時に加速度のＹ軸成分は約０．５ｇから約１．０ｇまで変化している。これは、ユーザーがデジタルカメラ１００を振り上げると同時に手前方向に素早く引き寄せる動作をする為、加速度のＺ軸成分は一時的に０ｇをオーバーするような変化（すなわち前後方向の加速度の正負が反転する）を示す。また、ユーザーは、接眼撮影準備動作ではデジタルカメラを水平方向には大きく動かさないため、加速度のＸ軸成分は領域（ａ）〜（ｃ）のいずれもほぼ０を示す。システム制御部５０は、姿勢検知部５５がこの加速度の変化を検出していた場合、ユーザーの接眼撮影準備動作を検知したと判定する。そして、その後は接眼状態となる為、図７の領域（ｃ）に示すように、加速度のＹ軸成分は約１．０ｇとなる。
【００３８】
例えば、システム制御部５０は、姿勢検知部５５から出力される加速度の各成分が例えば以下の条件を満たす場合に、接眼撮影準備動作を検知したものと判定する。例えば、加速度のＺ軸成分が負から正の値に反転し、かつ当該反転の時点を含む所定期間内（例えば前1500ms,後ろ1000msec）においてＹ軸成分が所定の閾値以上変化（0.3g程度）し、かつＸ軸成分は所定幅以内（0.2ｇ程度）で変化する場合、接眼撮影準備動作を検知する。
【００３９】
Ｓ５０３では、システム制御部５０は、Ｓ５０２での演算結果により接眼撮影準備動作を検知したかを判定する。システム制御部５０は、接眼撮影準備動作を検知したと判定した場合はＳ５０４に進み、そうでない場合にはＳ５０６に進む。
【００４０】
Ｓ５０４では、システム制御部５０は、ＥＶＦ１０５の駆動電圧を生成する為にＥＶＦ昇圧動作を開始する。具体的には、システム制御部５０は、ＥＶＦ１０５の駆動電圧を生成させるためのＥＶＦ駆動部制御信号を、ＥＶＦ駆動部１１２に送信する。このとき、ＥＶＦ駆動部１１２のＥＶＦ制御部４０１は、ＥＶＦ１０５を駆動するための電源タイミング信号をＥＶＦ電源部４０２に供給し、ＥＶＦ電源部４０２は、当該電源タイミング信号に応じて、ＥＶＦ１０５を駆動するための駆動電圧の生成を開始する。このとき、システム制御部５０は、表示部２８の表示を継続させる。なお、本実施形態では、上述のＥＶＦ昇圧動作がＥＶＦ１０５の表示を制御するための表示準備処理に相当する。
【００４１】
Ｓ５０５では、システム制御部５０は、Ｔ１時間以内に、近接検知部１０４により対象物の近接が検知されたかを判定する。このとき、Ｔ１は、例えば接眼撮影準備動作に移行してから接眼するまでの時間を表し、１ｓ程度とする。システム制御部５０は、システムタイマー５３で計時したＴ１以内に、近接検知部１０４による対象物の近接（対象物が所定の近接閾値より近いこと）を示す出力を得られた場合に、Ｔ１時間以内に対象物の近接が検知されたと判定する。システム制御部５０は、Ｔ１時間以内に対象物の近接を検知したと判定した場合、Ｓ５０７に進み、そうでない場合、場合にはＳ５１２に進む。
【００４２】
Ｓ５０６では、システム制御部５０は、近接検知部１０４により対象物の近接が検知されたかを判定する。システム制御部５０は、近接検知部１０４の検知結果に基づき、対象物の近接が検知されたと判定した場合にはＳ５０７に進み、そうでない場合にはＳ５１３に進む。
【００４３】
Ｓ５０７では、システム制御部５０は、ＥＶＦ１０５の表示動作を開始させ、表示部２８に対する表示動作及び駆動電源生成動作を停止する。このとき、ＥＶＦ１０５の表示は、Ｓ５０４或いは後述するＳ５０９の動作によりＥＶＦ昇圧動作が開始或いは継続されていた場合には、当該ＥＶＦ昇圧動作がされない場合（Ｓ５０６を経た場合）よりも、早くＥＶＦの表示がされる。すなわち、上述のようにＥＶＦの駆動電圧の生成には一定の時間を要するため、接眼撮影準備動作の検出後に予めＥＶＦ昇圧動作を開始した場合は、接眼を検知した後になってからＥＶＦ昇圧動作を開始する場合より、ＥＶＦの表示を早くすることができる。一方、Ｓ５０６を経てＥＶＦ１０５の表示が行われる場合、Ｓ５０７の時点で表示準備処理を開始してＥＶＦ１０５の表示を行う。
【００４４】
Ｓ５０８では、システム制御部５０は、近接検知部１０４の検知結果により離眼が検知されたかを判定する。システム制御部５０は、対象物が所定の近接閾値より遠いことを示す検知結果を得た場合に離眼が検知されたと判定する。システム制御部５０は、離眼が検知されたと判定した場合にはＳ５０９に進み、そうでない場合には離眼検出の判定待ちを繰り返すためにＳ５０８に進む。
【００４５】
Ｓ５０９では、システム制御部５０は、ＥＶＦ１０５の表示動作を停止して、駆動電圧生成動作は継続する。すなわち、ＥＶＦ制御部４０１はＥＶＦ制御信号によってＥＶＦの表示動作を停止するが、ＥＶＦ１０５に対するＥＶＦ駆動電圧を継続して生成するようにＥＶＦ電源部４０２を制御する。一方、システム制御部５０は、表示部２８の表示動作及び駆動電源生成動作を再開する。
【００４６】
Ｓ５１０では、システム制御部５０は、Ｔ２時間以内に近接検知部１０４により対象物の近接が検知されたかを判定する。Ｔ２は、例えばユーザーが離眼してから撮影後のプレビュー確認を行って再度接眼撮影するまでの時間を表し、４ｓ程度とする。システム制御部５０は、システムタイマー５３によって計時されるＴ２時間以内に、近接検知部１０４によって近接が検知された場合、Ｔ２時間以内に対象物が検知されたと判定する。システム制御部５０は、Ｔ２時間以内に対象物の近接が検知されたと判定した場合、Ｓ５０７に戻って上述の処理を繰り返す。そうでない場合には、システム制御部５０は、Ｓ５１１に進む。
【００４７】
Ｓ５１１では、システム制御部５０は、ＥＶＦ１０５のＥＶＦ昇圧動作を停止し、Ｓ５１３に進む。このようにするは、Ｔ２時間以内に近接検知部１０４により近接が検知されない場合、撮影後のプレビュー確認のため離眼したのでは無いと判断する事ができるためである。
【００４８】
一方、Ｓ５０５においてＴ１時間以内に対象物の近接が検知されなかったと判定した場合、Ｓ５１２において、システム制御部５０は、ＥＶＦ１０５のＥＶＦ昇圧動作を停止する。このようにするのは、Ｔ１時間以内に近接検知部１０４による近接が検知されなかった場合にはＳ５０３における接眼撮影準備動作が誤検出であったと考えられるためである。
【００４９】
Ｓ５１３では、システム制御部５０は、電源スイッチ７２がＯＦＦされたかを判定する。システム制御部５０は、電源スイッチ７２の信号に基づき、ＯＦＦされていないと判定した場合にはＳ５０２に戻って同様の処理を行う。一方、ＯＦＦされたと判定した場合にはその後デジタルカメラ１００の電源がＯＦＦされ、本一連の動作が終了する。
【００５０】
（表示準備処理を用いたＥＶＦの表示例）
更に、図６を参照して、上述の表示準備処理を用いたＥＶＦの表示例について説明する。より具体的に、Ｓ５０３において接眼撮影準備動作が検出されたことに応じてＥＶＦ１０５のＥＶＦ昇圧動作（すなわち表示準備処理）を開始することにより、ＥＶＦの表示切り替え時間が短縮される例を説明する。
【００５１】
図６の（１）に示すように、接眼撮影前の初期状態では、ユーザーが手元で操作を行っている（或いはライブビュー撮影を行っている）こと等が想定される。図６の（１）では、表示部２８に画像が表示されるが、ＥＶＦ１０５における昇圧動作は未だ開始されていない。
【００５２】
この状態から、図６の（２）に示すように、ユーザーは手元操作から接眼撮影に移行するための振り上げ動作を行う。このとき、デジタルカメラ１００には、図７を参照して上述した加速度の変化が生じる。図６の（２）では、撮影準備動作を検出したことに応じてＥＶＦ１０５のＥＶＦ昇圧動作が開始されるため、ＥＶＦ１０５では、昇圧回路が駆動された状態となる。一方、表示部２８は画像を表示した状態を継続している。
【００５３】
更に、図６の（３）では接眼が検知される。図６の（２）において（すなわち近接検知部１０４による接眼の検知よりも先に）ＥＶＦ１０５のＥＶＦ昇圧動作を開始することにより、図６の（３）に示す近接状態が検出されると、ＥＶＦ１０５の表示切り替えを素早く行うことができる。
【００５４】
以上説明したように、本実施形態では、接眼撮影準備動作を検出したことに応じてＥＶＦ１０５の昇圧動作（表示準備処理）を開始し、その後、対象物の近接を検知したことに応じてＥＶＦ１０５の表示を行うようにした。このようにすることで、ユーザーの接眼を検知した後のＥＶＦ１０５の表示開始時間を短縮することができ、ＥＶＦ１０５と表示部２８との間の表示切替を高速化することができる。
【００５５】
なお、本実施形態では、ＥＶＦ１０５と表示部２８の２つの表示部を構成する電子機器を例に説明したが、表示部の形態はこれに限らない。すなわち、少なくとも１つのＥＶＦを用いる電子機器であれば、上述の実施形態を適用することができる。また、ＥＶＦを含む３つ以上の表示部を有する構成であっても同様である。
【００５６】
また、本実施形態では、近接検知部１０４の一例として、赤外線投受光によって対象物の近接を検出する例を説明したが、静電容量や撮像装置で検出する方法など、他の方式を用いてもよい。
【００５７】
更に、本実施形態では、姿勢検知部５５の一例として、加速度センサによってデジタルカメラの姿勢を検知する例を説明したが、ジャイロセンサーを用いて姿勢を検知する方法など、他のセンサを用いた方法を使用してよい。
【００５８】
また、本実施形態では、接眼撮影準備動作の一例として、手元操作状態から接眼撮影への移行を検知する例について説明した。しかし、接眼撮影準備動作はこれに限らない。例えば、ライブビュー撮影動作からの接眼撮影準備動作など、所定の操作状態から電子機器を振り上げて接眼するような他の動作を、姿勢検知部５５を用いて検知するようにしてもよい。
【００５９】
更に、本実施形態では、システム制御部５０が、姿勢検知部５５によって検知される姿勢検出情報に基づいて接眼撮影準備動作を検知する例を説明したが、姿勢検知部５５が自身の姿勢検出情報に基づいて接眼撮影準備動作を検知してもよい。この場合、システム制御部５０は、姿勢検知部５５で接眼撮影準備動作が検知されたことに応じて、表示準備を開始する。
【００６０】
また、本実施形態では、撮影レンズ一体型のデジタルカメラ１００を用いる例を説明したが、レンズ交換式のデジタルカメラに本実施形態を適用することももちろん可能である。この場合、接眼撮影準備動作を判定する条件を、レンズ装着部に装着された交換レンズ（撮影レンズ）の種別に応じて変更するようにしてもよい。この場合、装着されたレンズが重い場合と軽い場合とに応じて、接眼撮影準備動作を行った場合における加速度の変化の条件を変更すればよい。
【００６１】
なお、システム制御部５０が行うものとして説明した上述の各種制御は、１つのハードウェアが行ってもよいし、複数のハードウェアが処理を分担することで、装置全体の制御を行ってもよい。
【００６２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６３】
また、上述した実施形態においては、本発明をデジタルカメラに適用した場合を例にして説明したが、本発明はこの例に限定されず、接眼した状態で画像を視認するための表示部を有する携帯型の機器であれば適用可能である。すなわち、本発明は、眼鏡側の携帯端末、ゴーグル型のＡＲ用若しくはＶＲ用端末、又はゴーグル型の情報端末、ゲーム装置若しくは医療用機器などに適用可能である。
【００６４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
２８…表示部、５０…システム制御部、５５…姿勢検知部、１０４…近接検知部、１０５…ＥＶＦ
【図１】
2019012349.tif 000003
【図２】
2019012349.tif 000004
【図３】
2019012349.tif 000005
【図４】
2019012349.tif 000006
【図５】
2019012349.tif 000007
【図６】
2019012349.tif 000008
【図７】
2019012349.tif 000009